(57)【特許請求の範囲】
【請求項１】
複数種類のカラオケ装置に対して、全種類のカラオケ装置に共通の共用データ、および、各種類のカラオケ装置に個別のデータであって、対応するカラオケ装置の種類を識別するＩＤコードを含む個別データを転送する保守装置であって、
前記共用データを記憶する共用データ記憶エリアおよび前記個別データを記憶する個別データ記憶エリアが設定された記憶手段と、
前記カラオケ装置と接続するためのインタフェースと、
メンテナンスセンタに接続して共用データをダウンロードし、前記共用データ記憶エリアに書き込むダウンロード手段と、
前記複数種類のカラオケ装置の種類毎に各々設けられ、各種類のカラオケ装置の個別データを各々記憶した複数の着脱記憶媒体と、
前記着脱記憶媒体のデータを読み取って前記個別データ記憶エリアに書き込むセットアップ手段と、
保守を行うカラオケ装置が前記インタフェースに接続されたとき、このカラオケ装置のＩＤコードと前記個別データに含まれるＩＤコードとを照合し、一致したとき、前記記憶手段に記憶している共用データおよび個別データをカラオケ装置に転送するメンテナンス手段と、
を備えたことを特徴とするカラオケ装置の保守装置。
【発明の詳細な説明】
【０００１】
【発明の属する技術分野】
この発明は、カラオケ装置の機種などに合わせて個別のファイルをコピーすることでカラオケ装置をメンテナンスするカラオケ装置の保守装置に関する。
【０００２】
【従来の技術】
従来の通信カラオケシステムにおいては、１つのメンテナンスセンタが多数の通信カラオケ装置を管轄しており、メンテナンスセンタは各通信カラオケ装置に順番に電話を架けて、楽曲データのダウンロードなどのメンテナンスを行うようになっていた。メンテナンスセンタは管轄する通信カラオケ装置を効率的にメンテナンスするため、全てのカラオケ装置に対して同じ楽曲データをダウンロードするようにしていた。
【０００３】
【発明が解決しようとする課題】
このように、現在の通信カラオケシステムにおいては、全ての通信カラオケ装置に対して画一的に同じデータがダウンロードされるようになっており、カラオケ装置の機種毎の差異を反映した楽曲データをダウンロードしたり、設置店の地域や特性を反映したＣＭデータをダウンロードするなどの処理ができない欠点があった。
【０００４】
この発明は、オフラインで各カラオケ装置毎に個別のデータをコピーすることにより、カラオケ装置の特性に合わせたメンテナンスを行うことのできるカラオケ装置の保守装置を提供することを目的とする。
【０００５】
【課題を解決するための手段】
この発明は、複数種類のカラオケ装置に対して、全種類のカラオケ装置に共通の共用データ、および、各種類のカラオケ装置に個別のデータであって、対応するカラオケ装置の種類を識別するＩＤコードを含む個別データを転送する保守装置であって、前記共用データを記憶する共用データ記憶エリアおよび前記個別データを記憶する個別データ記憶エリアが設定された記憶手段と、前記カラオケ装置と接続するためのインタフェースと、メンテナンスセンタに接続して共用データをダウンロードし、前記共用データ記憶エリアに書き込むダウンロード手段と、前記複数種類のカラオケ装置の種類毎に各々設けられ、各種類のカラオケ装置の個別データを各々記憶した複数の着脱記憶媒体と、前記着脱記憶媒体のデータを読み取って前記個別データ記憶エリアに書き込むセットアップ手段と、保守を行うカラオケ装置が前記インタフェースに接続されたとき、このカラオケ装置のＩＤコードと前記個別データに含まれるＩＤコードとを照合し、一致したとき、前記記憶手段に記憶している共用データおよび個別データをカラオケ装置に転送するメンテナンス手段と、を備えたことを特徴とする。
【０００６】
この発明では、着脱記憶媒体から、複数種類のカラオケ装置のうち特定のカラオケ装置に対応するデータ（個別データ）を読み込んで記憶装置に記憶し、これをカラオケ装置に転送する。この転送はこの保守装置の機能として行ってもよく、記憶装置をカラオケ装置に直接接続してカラオケ装置の機能として行わせてもよい。そして、この転送が終了すると、記憶装置に記憶されている個別データを消去する。この消去動作は、次のカラオケ装置のメンテナンスの準備を開始するときでもよい。すなわち、１つのカラオケ装置に対する個別データのみを記憶するようにすることで、容量に限りのある記憶装置を有効利用することができる。さらに、着脱記憶媒体から記憶装置にデータ転記したのち、カラオケ装置に転送することにより、他のデータを一緒に転送することもでき、作業を効率化することができる。
【０００７】
【発明の実施の形態】
図面を参照してこの発明が適用される通信カラオケシステムの構成を説明する。この通信カラオケシステムは、通信カラオケ装置２，コピー端末装置３およびメンテナンスセンタ１からなっている。図１〜図３は、通信カラオケ装置２，コピー端末装置３およびメンテナンスセンタ１の構成を示す図である。通信カラオケ装置２は、記憶部２３に記憶されている楽曲データを演奏部２１に入力することによってカラオケ演奏を実行する。コピー端末装置３は、通信カラオケ装置２に対して楽曲データのダウンロード、運用ログの収集、タイマリセット信号の送信などのメンテナンス処理を実行する装置である。また、メンテナンスセンタ１は、コピー端末装置３に対して楽曲データをダウンロードしたり収集した運用ログを吸い上げるなどコピー端末装置３をメンテナンスする。
【０００８】
カラオケ装置２が記憶部２３に記憶している約１万曲の楽曲データのうち、１部は全てのカラオケ装置に共通データであり、他の一部は特定のカラオケ装置のみにダウンロードされる個別データである。カラオケ曲のなかには、カラオケ装置の機能に応じて編曲などを変えた複数種類の楽曲データが作成されているものがあり、このカラオケ曲に関してはダウンロードするカラオケ装置の機種に対応して個別データとしてダウンロードされる。ただし、カラオケ装置においては、どれが共通データでどれが個別データであるかが意識されることはなく、全て曲番号に応じて選曲・演奏される。一方、コピー端末装置３は記憶装置４０に曲データを記憶し、これを通信カラオケ装置２に転記するが、共通データに関してはメンテナンスセンタ１からダウンロードして常時これを記憶しており、個別データに関しては、各通信カラオケ装置２をメンテナンスするときに、着脱記憶媒体４７から読み込まれる。着脱記憶媒体４７は通信カラオケ装置２の機種毎に複数種類設けられており、メンテナンスする通信カラオケ装置２に合わせたものが媒体駆動部４６にセットされ、読み込まれる。
【０００９】
ここで、従来の一般的な通信カラオケ装置は、モデムまたはターミナルアダプタを備え、公衆電話回線またはディジタル回線の電話線が常時接続されており、メンテナンスセンタ１が定期的にこの通信カラオケ装置に対して電話を掛けて新曲のダウンロード，ログの収集および運用許可信号であるタイマリセット信号を送信するというオンライン運用の運用形態で動作しているが、上記コピー端末装置３によってメンテナンスを受ける運用形態をオフライン運用という。
【００１０】
なお、上記タイマリセット信号は、通信カラオケ装置２に内蔵されている運用許可タイマ３０をリセットする信号である。運用許可タイマは、２週間ないし１か月程度でタイムアップする長時間タイマであり、このタイマがタイムアップすると、カラオケ装置の運用が禁止されるものである。これは、カラオケ装置が契約期限を越えて運用されたり、盗難された状態で運用されたりすることを防止するためのものである。
【００１１】
図１は、前記通信カラオケ装置２の構成図である。通信カラオケ装置２は、ＣＰＵやメモリで構成される制御部２０によって制御され、この制御部２０には演奏部２１，映像再生部２２，記憶部２３，シリアルインタフェース２４，パラレルインタフェース２５、運用許可タイマ３０などが接続されている。記憶部２３はハードディスク記憶装置などで構成されており、約１万曲の楽曲データを記憶するとともに、このカラオケ装置の運用履歴であるログを記録するログ記録エリアを有している。また、運用許可タイマ３０は、約１か月程度の期間でタイムアップするタイマであり、制御部２０がタイマリセット信号を受信したときリセットされる。この運用許可タイマ３０がタイムアップすると、制御部３０の機能の一部がロックされ、カラオケ演奏などのカラオケ装置としての運用が出来なくなる。演奏部２１は音源装置などを含み、記憶部２３から読み出される楽曲データに基づいてカラオケ演奏音を発生する。発生したカラオケ演奏音はアンプ２６に入力される。アンプ２６はこのカラオケ演奏音を増幅するとともにマイク２７から入力された歌唱音声信号を増幅しミキシングしたのちスピーカ２８に出力する。また、映像再生部２２はビデオＣＤチェンジャなどを含み、カラオケ演奏に応じてモニタ２９に背景映像を表示する。この背景映像には歌詞がスーパーインポーズで表示される。
【００１２】
シリアルインタフェース２４は、たとえばＲＳ２３２Ｃなどの規格のインタフェースで構成されており、オンライン運用されるカラオケ装置の場合にはモデムやターミナルアダプタが接続される。また、パラレルインタフェース２５は例えばＳＣＳＩなどの規格のインタフェースで構成されている。
【００１３】
図２は、この発明の実施形態であるコピー端末装置３の構成を示す図である。このコピー端末装置は、通信カラオケ装置２に対して楽曲データのダウンロード、ログの収集、タイマリセット信号の送信などの動作を実行するものである。この装置はメンテナンス係員によってカラオケ装置２の設置場所へ携帯される装置であるため小型に構成されている。ハードディスク記憶装置などからなる記憶装置４０には、メンテナンスするカラオケ装置に配信すべき全ての楽曲データを登録した曲データベース４００、カラオケ装置にダウンロードすべきカラオケ曲の曲番号やリリース番号を記憶した全曲リスト４０１、接続された通信カラオケ装置のログをメンテナンスセンタ１にアップロードするまで記録するログ記録ファイル４０２などが設定されている。この記憶装置４０は、パーソナルコンピュータである制御装置４１とＳＣＳＩ規格のパラレルケーブルで接続されている。制御装置４１には、通信制御部４２、媒体駆動装置４６およびスイッチボックス４３が接続されている。通信制御部４２はメンテナンスセンタ１と電話回線を介して通信するための制御部である。媒体駆動装置４６は、着脱記憶媒体４７を受け入れて、この着脱記憶媒体４７に記憶されている内容を読み出す装置である。着脱記憶媒体としては、高密度フロッピィディスク（ｚｉｐ（商標）など）や光磁気ディスク（ＭＯ，ＰＤ，ＣＤＲなど）が用いられ、その記憶容量は１００Ｍバイト〜６００Ｍバイト程度である。この着脱記憶媒体は、通信カラオケ装置２の機種毎に複数枚設けられ、それぞれ各機種に対応する個別データが記憶されている。また、この装置は、通信カラオケ装置２と接続するためのシリアルインタフェース４４およびパラレルインタフェース４５を備えている。パラレルインタフェース４５はＳＣＳＩ規格のインタフェースであり、スイッチボックス４３を介して前記記憶装置４０に接続される。また、制御装置４１は、シリアルケーブルを介してスイッチボックス４３を接続しており、パラレルインタフェース４５と記憶装置４０とを接続するか切断するかを制御する。また、前記制御装置４１のシリアルケーブルはデイジーチェーン接続でシリアルインタフェース４４に接続されている。通信カラオケ装置２のメンテナンス時には、このシリアルインタフェース４４およびパラレルインタフェース４５が通信カラオケ装置２のシリアルインタフェース２４およびパラレルインタフェース２５に接続される。通信カラオケ装置２とコピー端末装置３との信号の送受において、制御信号の送受や全曲リストの送受などの通常の交信はシリアルインタフェース４４を介して行う。この場合、スイッチボックス４３は記憶装置４０とパラレルインタフェース４５とを切断している。したがって、制御装置４１が記憶装置４０にアクセス可能になっている。また、楽曲データのダウンロードやログの収集など大量のデータを送受するタスクについては、スイッチボックス４３によって記憶装置４０とパラレルインタフェース４５とを接続し、すなわち、記憶装置４０と通信カラオケ装置２とをＳＣＳＩ接続し、通信カラオケ装置２が自らのデータ転送機能を用いて上記楽曲データのダウンロードや運用ログのアップロードを行うようにしている。このダウンロード，アップロードの間、制御装置４１は、記憶装置４０にアクセスしないようにして、ＳＣＳＩ接続上に２台のパーソナルコンピュータが現れないようにしている。
【００１４】
図３（Ａ）は前記記憶装置４０に設定される全曲リストの構成図である。この全曲リストはメンテナンスセンタ１からコピー端末装置３にダウンロードされるものである。全曲リストはカラオケ装置で演奏可能な全てのカラオケ曲の曲番号と、その曲を演奏するための楽曲データのリリース番号を記憶したものである。上述したように、カラオケ曲のなかには、機種によって搭載している音源や使用できる効果の種類などが異なることに合わせて、それぞれの機種毎に別バージョンの楽曲データがリリースされているものがある。このため、この全曲リストは全ての機種毎にこの機種に適合した全曲のリリース番号を記憶している。
【００１５】
同図（Ｂ）は曲データベースの構成を示す図である。曲データベースは共通ファイルインデックス４２０，共通データベース４２１および個別データベース４２２からなっている。共通データベース４２１には全機種の通信カラオケ装置２に対して共通に使用される楽曲データが記憶されている。共通ファイルインデックス４２０はこの共通データベース４２１に登録されている曲のリストである。曲を検索するとき、まずこの共通ファイルインデックス４２０を検索して、その曲が共通データベース４２１に記憶されているかを判断し、ある場合には共通データベース４２１からこの楽曲データを読み出し、ない場合には個別データベース４２２を検索して該当の楽曲データを読み出す。この共通ファイルインデックス４２０および共通データベース４２１の内容はメンテナンスセンタ１との交信によってアップデートされる。一方、個別データベース４２２は、通信カラオケ装置２の機種毎に個別の楽曲データが登録される記憶エリアである。記憶装置４０の記憶容量にも限りがあるため、この個別データベース４２２を設定するエリアは１機種分のみ設けられており、これからメンテナンスする通信カラオケ装置２の機種に合わせた個別データが読み込まれる。この個別データは、前記着脱記憶媒体４７から読み込まれる。なお、個別データベースのインデックスは￥機種ＩＤで表現され、この下位ディレクトリに複数の個別データが記憶される。
【００１６】
図４は着脱記憶媒体４７の構成を示す図である。着脱記憶媒体４７は、上記機種毎に複数設けられており、各着脱記憶媒体４７は、その機種に対応する個別データ（楽曲データ）を記憶している。各着脱記憶媒体４７のルートディレクトリは、この媒体が対応する通信カラオケ装置の機種ＩＤであり、その下位ディレクトリに各リリース番号の楽曲データが記憶されている。
【００１７】
図５は、前記メンテナンスセンタ１の構成図である。ハードディスク記憶装置などで構成される記憶装置１０には、全曲リスト１００、カラオケ装置で演奏可能な全ての楽曲データを登録した全曲データベース１０１、端末装置である通信カラオケ装置２を管理する端末管理テーブル１０２、通信カラオケ装置２の運用履歴であるログを集計するログ集計ファイル１０３などが設定されている。全曲データベース１０１には全ての共通データ，全ての個別データが記憶されている。共通データはオンラインでコピー端末装置３にダウンロードされるが、個別データは通信頻度が極端に高くなることを防止するため、着脱記憶媒体４７としてコピー端末装置３の操作係員に配付される。また、上記端末管理テーブル１０２には、各端末装置毎にそのＩＤコード、電話番号、契約有効期限、運用形態（オンライン運用／オフライン運用）、前回メンテナンス日時などのデータが記録されている。また、通信制御部１２は公衆電話回線やディジタル回線を介して通信カラオケ装置２やコピー端末装置３と通信するための通信制御部１２を備えている。制御装置１１は通信制御部１２を介して接続された通信カラオケ装置２やコピー端末装置３に対する楽曲データのダウンロードやログの収集を制御する装置であり、パーソナルコンピュータ程度の能力を備えた装置で構成される。
【００１８】
図６〜図９は上記メンテナンスセンタ１，通信カラオケ装置２，コピー端末装置３の動作を示すフローチャートである。
図６はコピー端末装置３のセットアップ動作を示すフローチャートである。この動作は、コピー端末装置３を通信カラオケ装置２のメンテナンスに使用するまえに係員によって実行される動作である。同図（Ａ）はメンテナンスセンタから全曲リストや共通データベースに書き込む楽曲データである共通データのダウンロードを受ける動作である。電話回線やインタフェースを介してセンタに接続されると以下の動作を実行する。まず、メンテナンスセンタ１に対して全曲リストを要求する（ｓ１）。メンテナンスセンタ１はこれに応じて、コピー端末装置３に対して全曲リストを送信してくるためこれを受信する（ｓ２）。コピー端末装置３はこの受信した全曲リストで全曲リスト記憶エリア４２０を上書きしてその内容をアップデートする（ｓ３）。次に、共通データベース４２１に新たに記憶する楽曲データのダウンロードを要求する（ｓ４）。この新たに記憶する楽曲データは今回ダウンロードされた全曲リストと先に記憶していた全曲リストの差分に基づいて割り出されたものである。メンテナンスセンタ１はこの要求に応じて、未配信の共通楽曲データをダウンロードするため、コピー端末装置３はこれを受信して（ｓ５）、共通データベース４２１に書き加えてアップデートする（ｓ６）。こののち、共通データインデックス４２０をアップデートして（ｓ７）動作を終了する。
【００１９】
同図（Ｂ）は着脱記憶媒体４７をセットして個別データベース４２２を書き換える動作を示している。係員によって着脱記憶媒体４７がセットされるとこの動作が実行される。まず、いままで記憶されていた個別データベース４２２の記憶内容を消去する（ｓ１０）。これは、上述したように記憶装置４０の記憶容量に限りがあるため、これからメンテナンスする通信カラオケ装置２に合わせた個別データベースのみを作成するためである。そして、着脱記憶媒体４７のルートディレクトリである機種ＩＤを読み取り（ｓ１１）、この内容に個別データベース４２２のディレクトリを書き換える（ｓ１２）。そして、着脱記憶媒体４７に記憶されている個別の楽曲データを読み取って、上記個別データベース４２２に書き込む（ｓ１４）。全ての個別楽曲データを書き込むまでｓ１３，ｓ１４の動作を繰り返し（ｓ１５）、全データのコピーが終了すると動作を終了する。
【００２０】
図７は前記コピー端末装置３が通信カラオケ装置２をメンテナンス（オフラインダウンロード）するときの動作を示すフローチャートである。まず、通信カラオケ装置２のシリアルインタフェース２４，パラレルインタフェース２５とコピー端末装置３のシリアルインタフェース４４，パラレルインタフェース４５とを接続して通信状態を設定したのち（ｓ２０）、通信カラオケ装置からＩＤコードを受信する（ｓ２１）。このＩＤコードと個別データベース４２２のディレクトリである機種ＩＤとを比較し（ｓ２２）、一致していればｓ２５以下のメンテナンス動作を実行し、不一致であればメンテナンスができないため通信カラオケ装置２に対してメンテナンスを中止する旨の電文を送信して（ｓ２４）、エラー終了する。
【００２１】
ｓ２５では、タイマリセット信号を送信して、通信カラオケ装置２の運用許可タイマ３０をリセットし、継続運用を可能にする。次に、全曲リスト４２０からこの機種ＩＤに対応する全曲リストを送信する（ｓ２６）。こののち通信カラオケ装置２は、自己のファイル転送機能を用いて不足曲のダウンロードおよびログのアップロードを行うため、通信カラオケ装置２のモニタ２９に『現在曲をコピー中です電源を抜かないで下さい』の表示を行うよう指示する（ｓ２７）。これにより、コピー動作中に誤って電源が抜かれることを防止するとともに、ログの収集中もコピー動作として表示されるため、カラオケ装置からログを収集していることをカラオケ店舗側に知られることがない。そして、スイッチボックス４３を切り換えて、通信カラオケ装置２のパラレルインタフェース２５に記憶装置４０を直接接続する（ｓ２８）。これにより、通信カラオケ装置は、不足曲のダウンロードおよびログのアップロードを行う。通信カラオケ装置２からシリアルインタフェース２４，４４を介して処理終了の通知があれば（ｓ２９）、この通信カラオケ装置２に対する処理を終了する。
【００２２】
図８は上記コピー端末装置３からオフラインダウンロードを受ける通信カラオケ装置２の動作を示すフローチャートである。まず、コピー端末装置３とシリアルインタフェース２４，パラレルインタフェース２５を接続して通信状態を確立し（ｓ４０）、コピー端末装置３に対してＩＤコードを送信する（ｓ４１）。このＩＤコードがコピー端末装置３の個別データベース４２２のディレクトリと一致すればメンテナンス可能であるためｓ４３以下の動作に進む。ＩＤコードが前記個別データベース４２２のディレクトリと一致しなかった場合にはメンテナンス不可の電文が返信されてくるためそのまま動作を終了する（ｓ４２）。
【００２３】
ｓ４３では、コピー端末装置３からタイマリセット信号を受信し（ｓ４３）、これに応じて運用許可タイマ３０をリセットする（ｓ４４）。次に、この通信カラオケ装置の機種に対応する全曲リストを受信して（ｓ４５）、この全曲リストのなかからまだダウンロードされていない不足曲を割り出す（ｓ４６）。そして、コピー端末装置３からの指示に応じて、モニタ２９に『現在曲をコピー中です電源を抜かないで下さい』の表示を行う（ｓ４７）。このときコピー端末装置３のスイッチボックス５３によりパラレルインタフェース２５が記憶装置４０に直接接続されているため、自己のファイル転送機能を用いて不足分の楽曲データをダウンロードする（ｓ４８〜ｓ５２）。読み込む不足曲のディレクトリを共通ファイルインデックス４２０で検索し（ｓ４８）、個別の楽曲データであれば（ｓ４９）、個別データベース４２２から読み出して自己の記憶部２３に書き込む（ｓ５０）。また、共通の楽曲データであれば（ｓ４９）、共通データベース４２１から読み出して自己の記憶部２３に書き込む（ｓ５１）。不足曲の書き込みが全て終了すれば（ｓ５２）、運用履歴であるログをアップロードし（ｓ５３）、これらの処理終了ののち処理終了信号をコピー端末装置３に送信して（ｓ５４）動作を終了する。このとき、モニタ２９に「コピーを終了しました」という旨のメッセージを表示する。
【００２４】
図９はコピー端末装置３からメンテナンスセンタ１に対するログアップロード動作を示すフローチャートである。同図（Ａ）はコピー端末装置３側の動作を示し、同図（Ｂ）はメンテナンスセンタ１側の動作を示している。この動作は、オフラインメンテナンスにより通信カラオケ装置２のログを収集したコピー端末装置３が、このログを再度メンテナンスセンタ１にアップロードするときの動作である。
【００２５】
同図（Ａ）において、電話回線またはインタフェースを介してコピー端末装置３をメンテナンスセンタ１に接続する（ｓ７０）。そしてメンテナンスセンタ１に対してログの読み込みを要求する（ｓ７１）。読み込みがＯＫであれば、メンテナンスを行った通信カラオケ装置のＩＤコードを送信するとともに（ｓ７２）、この通信カラオケ装置のログをログ記録ファイル４０２から読み出して送信する（ｓ７３）。メンテナンスを行った全ての通信カラオケ装置についてこの動作を行ったのち（ｓ７４）、動作を終了する。
【００２６】
同図（Ｂ）において、コピー端末装置３が接続され（ｓ８０）、ログの読み込み要求があれば（ｓ８１）、ログの送信を許可する。これに応じてコピー端末装置３から通信カラオケ装置のＩＤコードおよびログが送信されてくるため、これらを受信し（ｓ８２，ｓ８３）、ログ管理ファイル１０３に書き込む（ｓ８４）。コピー端末装置３から全てのログが送信されてくれば（ｓ８５）、動作を終了する。
【００２７】
以上の動作により、各通信カラオケ装置２の機種に合わせて個別の楽曲データをダウンロードすることができ、各通信カラオケ装置２では自己の機能に最も適した動作でカラオケ演奏を実行することができる。
【００２８】
また、上記実施形態では、カラオケ装置の機種毎に個別データを設けるようにしているが、個別データの区分はカラオケ装置の機種に限定されるものではなく、カラオケ装置の設置地域や店舗の形態など種々の区分で異なる個別データを設け、上記区分に合わせたメンテナンスをすることができる。
【００２９】
また、上記実施形態では、カラオケ曲演奏用の楽曲データのダウンロードのみを説明したが、楽曲データのみならず、通信カラオケ装置において、ゲームや情報提供などカラオケ演奏以外の機能を実現するためのＩＣＭデータについても個別データを設け、その区分に合わせて個別にダウンロードすることもできる。
【００３０】
また、この実施形態では、全てのカラオケ装置に対して共通に使用できるデータを共通データとして保持しているため、各通信カラオケ装置２に対するメンテナンスを行う際に書き換える個別データベースの大きさを最小限にすることがでてき、コピー端末装置３のセットアップ処理を簡略化することができる。
【００３１】
【発明の効果】
以上のようにこの発明によれば、各種類のカラオケ装置に対応する個別データを着脱記憶媒体に記憶しておき、カラオケ装置のメンテナンス時にこれを記憶装置に読み込んで通信カラオケ装置に転送するようにしたことにより、記憶装置の容量を大きくしなくても全ての種類のカラオケ装置に対する個別のメンテナンスが可能になる。そして、このことにより、係員がこの保守装置を携帯してカラオケ装置設置店に赴く場合に、運搬が楽になる。
【図面の簡単な説明】
【図１】この発明が適用される通信カラオケシステムの通信カラオケ装置の構成図
【図２】この発明の実施形態であるコピー端末装置の構成図
【図３】同コピー端末装置の記憶装置の構成図
【図４】同コピー端末装置にセットされる着脱記憶媒体の構成図
【図５】前記通信カラオケシステムの通信カラオケ装置の構成図
【図６】前記コピー端末装置の動作を示すフローチャート
【図７】前記コピー端末装置の動作を示すフローチャート
【図８】前記通信カラオケ装置の動作を示すフローチャート
【図９】前記コピー端末装置およびメンテナンスセンタの動作を示すフローチャート
【符号の説明】
１…メンテナンスセンタ、１０…記憶装置、１００…全曲データベース、
１０１…端末管理テーブル、１０２…ログ集計ファイル、
１１…制御装置、１２…通信制御部、
２…通信カラオケ装置、２３…記憶部、２４…シリアルインタフェース、
２５…パラレルインタフェース、３０…運用許可タイマ、
３…コピー端末装置、４０…記憶装置、４００…全曲データベース、
４０１…端末管理テーブル、４０２…ログ記録ファイル、
４２…通信制御部、４３…スイッチボックス、
４４…シリアルインタフェース、４５…パラレルインタフェース
４６…媒体駆動装置、４７…着脱記憶媒体
【図１】
0003567666.tif 000002
【図２】
0003567666.tif 000003
【図３】
0003567666.tif 000004
【図４】
0003567666.tif 000005
【図５】
0003567666.tif 000006
【図６】
0003567666.tif 000007
【図７】
0003567666.tif 000008
【図８】
0003567666.tif 000009
【図９】
0003567666.tif 000010